(57)【特許請求の範囲】
【請求項１】
回路素子のシンボルを記憶するシンボルライブラリ部と、電気機器の回路図に基づいて前記シンボルライブラリ部から使用する回路素子のシンボルを抽出する手段と、抽出された回路素子に対し位置情報を付加する手段と、前記回路素子の端子毎に接続に用いる線材に関する情報を付加する手段と、前記位置情報、線材に関する情報に基づいて回路素子の端子間の接続を指示する接続表を作成する手段と、前記回路素子の端子毎に接続する線材の本数を求め、且つ、回路素子の接続に用いる結束端子を決定する手段と、前記線材の本数及び結束端子に基づいて回路素子の接続方法を指示する線付表を作成する手段とを備えたことを特徴とする配線図作成システム。
【請求項２】
前記結束端子は、予め指定された結束端子グループ及び前記回路素子の端子に接続する本数に基づいて実装部品ライブラリ部を検索し、指定された結束端子グループの中から本数に応じた結束端子が選択されることを特徴とする請求項１に記載の配線図作成システム。
【請求項３】
前記結束端子は、回路素子の端子に接続する本数に基づいて予め実装部品ライブラリ部に格納されている結束端子の中から決定されることを特徴とする請求項２に記載の配線図作成システム。
【請求項４】
前記回路素子の接続毎に通し番号が付与され、前記接続表及び線付表に同一の通し番号が表示されることを特徴とする請求項１に記載の配線図作成システム。
【請求項５】
前記線付表に回路素子の実装イメージが表示されることを特徴とする請求項２に記載の配線図作成システム。
【発明の詳細な説明】
【０００１】
【発明の属する技術分野】
本発明は、電子機器の配線作業の際に用いられるケーブル接続表とケーブル接続に必要な線付表等の配線図を自動的に作成する配線図作成システムに関するものである。
【０００２】
【従来の技術】
従来、このような電子機器のケーブル接続表や線付表を作成する場合、人手によって作成している。即ち、最初に電子機器の回路図を参照しながら人手接続表を作成する。人手接続表を作成する場合、回路図のシンボルピンの接続情報を確認しながら作成し、この時、配線の方法や使用する線材等実際の配線の工事性を考えて、図面の構成や接続の順番を考慮し、段、列、ピン番号等の実装情報に基づいて接続表を作成する。次に、線付表を作成するが、この線付表には部品ピンの配置状態や接続表で付与されたピンに対し、線材が何本使われているかをカウントし、線材本数に則した結束端子を選択して作成する。
【０００３】
【発明が解決しようとする課題】
しかしながら、従来においては、ケーブル接続表と線付表を手書きによって作成しているので、以下のような問題点があった。即ち、ケーブル接続表と線付表の作成に時間がかかるばかりでなく、回路図面から工事性を考慮したケーブル接続表を作成する必要があり、線付表には接続本数をカウント表示すると共に接続本数から結束端子を決める等しているので、接続表と線付表とのデータの不一致が発生したり、ケアレスミスが発生し易い等の問題があった。
【０００４】
本発明は、上記従来の問題点に鑑みなされたもので、その目的は、ケーブル接続表や線付表等の配線図を自動的に且つ正確に作成することが可能な配線図作成システムを提供することにある。
【０００５】
【課題を解決するための手段】
本発明は、上記目的を達成するため、回路素子のシンボルを記憶するシンボルライブラリ部と、電気機器の回路図に基づいて前記シンボルライブラリ部から使用する回路素子のシンボルを抽出する手段と、抽出された回路素子に対し位置情報を付加する手段と、前記回路素子の端子毎に接続に用いる線材に関する情報を付加する手段と、前記位置情報、線材に関する情報に基づいて回路素子の端子間の接続を指示する接続表を作成する手段と、前記回路素子の端子毎に接続する線材の本数を求め、且つ、回路素子の接続に用いる結束端子を決定する手段と、前記線材の本数及び結束端子に基づいて回路素子の接続方法を指示する線付表を作成する手段とを備えたことを特徴としている。
【０００６】
【発明の実施の形態】
以下、本発明の実施の形態について図面を参照して詳細に説明する。図１は本発明の配線図作成システムの一実施形態の構成を示すブロック図である。図１において、まず、回路設計部１は電子機器のＣＡＤ回路図に配線用情報（例えば、回路素子の端子情報等）を付加して回路データを作成する回路設計部である。シンボルライブラリ部１３は装置回路素子に対応するシンボルを記憶するもので、例えば、コネクタ、抵抗ランプ、コイル、発光ダイオード、コンデンサ、電源バス、ヒューズ等を記憶している。
【０００７】
実装情報付加部２は、配線用情報付加部３と回路ネットデータ生成部４から成り、配線用情報付加部３で回路データに段、列、相対列等の実装属性が付加される。更に、回路ネットデータ生成部４では、接続情報を付加し、接続表を出力するための回路データが生成され、回路データ記憶部５に格納される。接続表作成部６は配線ルール取り込み部７と配線ネットデータ生成部８から成っていて、配線ルール取り込み部７では実装部品ライブラリ１４から配線ルールを取り込み、それに基づいて線材の組み合わせチェックを行い、線材の接続本数から使用可能な結束端子を選択する等の処理を行う。
【０００８】
更に、配線ネットデータ生成部８では線材、色、太さ等を付加した配線データを作成し、配線データ記憶部９に格納する。出力処理部１０は配線データに基づいて接続表１１と線付表１２を作成するための書式に加工する処理を行い、接続表１１と線付表１２を図面としてプリントアウトする。
【０００９】
次に、本実施形態の動作を図２のフローチャートに基づいて詳細に説明する。図２において、まず、回路設計部１は電子機器のＣＡＤ回路データに基づいてシンボルライブラリ部１３から必要とする装置回路素子を読み出す（Ｓ１０１）。次いで、図面枠が付加されたＣＡＤ回路図中に装置回路素子を配置し（Ｓ１０２）、装置回路素子間の接続を行う（Ｓ１０３）、図３はＣＡＤ回路図の一例を示している。
【００１０】
図３において、装置回路素子３０２，３０３はコネクタ端子の形状を表わしている。即ち、シンボルライブラリ部１３から取り込んだ装置回路素子３０２，３０３を回路図上に配置し、コネクタ情報としてＣＮ１，ＣＮ２がコネクタ名で、各々ピン１が第１端子、ピン２が第２端子であることを表わしている。また、図３ではＣＮ１とＣＮ２のピン１同志、ピン２同志がそれぞれ接続されている。なお、素子間の接続はネットデータ３０５を形成して行う。
【００１１】
次いで、実装情報付加部２の配線用情報付加部３で装置回路素子に配線属性を付加する（Ｓ１０４）。これを図４を参照して説明する。図４は配線属性付加ウィンドウを示し、回路図への表題情報を与えるためのものである。この場合、装置名と回路図番号を入力することで接続表と線付表の表題にデータを付加することができる。
【００１２】
また、配線用情報付加部３は段、列、相対列の実装属性の付加、即ち、装置回路素子の接続表に表示するための実装位置の指定を行う（Ｓ１０５）。図５は部品実装位置を入力するウィンドウを示す。装置回路素子毎に部品実装位置の入力欄から段、列、相対列の順に番地を付与する。付与した番地は図６（ｂ）に示すように接続表中の装置回路素子間を接続するための接続情報として用いられ、接続表上に表示される。図６の例では、００Ａ０１が位置情報を表わし、そのうち００が段、Ａが列、０１が相対列である。また、００Ａ０２も位置情報を表わし、００が段、Ａが列、０２が相対列である。
【００１３】
ここで、段、列、相対列で表わす位置情報について説明する。図１０は位置情報の付与方法の一例を示す図である。装置構成として下方位置から縦方向にユニット１，２，…と分け、このユニットに下から順に段００，０１，…を付与している。また、各ユニットを横方向に区分し、左方向から順に列Ａ，Ｅ，Ｈを付与している。相対列は各列を更に区分するもので、各列に対し相対列を００，０１，…と付与している。この位置情報は、例えば、段００、列Ａ、相対列１２というように付与される。また、図３の例では、コネクタＣＮ１に００Ａ０１、コネクタＣＮ２に００Ａ０２の位置情報が付与されている。
【００１４】
次いで、配線ルール属性の付加を行う（Ｓ１０６）。ここでは、接続表を出力した時の接続条件をネット毎に設定している。図７はペアー線工事の場合の回路記号を示す。装置回路素子間のピンからつながるネットに対してマウスでペアー１、ペアー２のようにペアー線指定を行うことで属性値がネットに付加される。図７ではぺアー１にはＰ、ペアー２にはＡの属性が付与され、図６（ａ），（ｂ）に示すように接続表にペアー属性Ｐが表示される。
【００１５】
次に、装置回路素子のピン毎に端子属性の付加を行う（Ｓ１０７）。これについて、図８を参照して説明する。端子属性を付加するには、図８に示すように端子属性のウィンドウ上にある配線種類、線材略称、結束端子グループの指定を行う。配線種類は、例えば、ストラップ線、電源線等の線材の種類であり、線材のグループ毎に接続を分けるための記号を入力する。線材略称は使用する線材を選ぶためのキーワードである。これは、関連する線材情報を抽出するのに用いられ、この線材略称に基づいて実装部品ライブラリ部１４から線材の正式名や太さ、色等が抽出される。
【００１６】
また、結束端子グループは素子と素子を接続する場合に用いる結束端子のグループを示すものである。この結束端子グループで指定された情報は結束端子のキーワードとなり、線材略称で指定された線材を結束端子に何本結束できるかを実装部品ライブラリ部１４内の配線ルールに従って選択し、それに基づいて使用する結束端子を決定する。以上の各属性はネット毎（接続毎）に付加され、回路ネットデータ生成部４ではすべてのネット毎のデータをまとめて回路データとして作成する（Ｓ１０８）。この回路データは回路データ記憶部５に格納される（Ｓ１０９）。
【００１７】
次に、接続表作成部６は接続表の作成を行う（Ｓ１１０）。具体的には、端子属性付加ウィンドウで入力した配線種類の記号に基づいて接続表に表示するために配線種類のグループ分けを行う。また、線材略称に基づいて実装部品ライブラリ部１４で決められている太さ条件に基づいて線材を細い順にグループ分けを行う。更に、回路ネットデータ作成部４で作成された回路データの接続情報のネット毎に通し番号を付与し、この時、部品実装ライブラリ１４から線材の色を求める。また、回路ネットデータ生成部４の接続情報を部品実装位置で入力された段、列相対列の表示形式に変換する作業を行う。
【００１８】
図６（ａ）はこのようにして作成された接続表の一例を示している。また、図６（ｂ）は接続表上の接続表示を拡大して示している。まず、Ａ  ＷＩＲＩＮＧ（図６（ｂ）の１列目）は配線種類グループを表わし、ＵＬ１０５１／ＴＥＷ−１０Ｙ（図６（ｂ）の２列目）は線材の正式名を表わしている。また、図６（ｂ）の３列目のＰ１は配線ルール属性と通し番号を示している。ここでは、Ｐがペアー線属性、１が通し番号である。
【００１９】
その次のＧＲは線色を示すもので、ＧＲ（緑）の線材を用いることを示している。線色は線材の正式名から得られる。その次の００Ａ０１．１は装置回路素子の段、列、相対列、ピン番号を示している。００が段、Ａが列、０１が相対列、１がピン番号である。また、その次の００Ａ０２．１も同様に装置回路素子の段、列、相対列、ピン番号を示している。００が段、Ａが列、０２が相対列、１がピン番号である。つまり、ここでは、ＧＲのペアー線を用いて００Ａ０１．１と００Ａ０２．１を接続することを示している。
【００２０】
次に、端子属性付加で入力した線材略称からそれに対応する線材情報を実装部品ライブラリ部１４から取り出す（Ｓ１１１）。また、ネットにつながる全ての端子属性を調べた後、線材の接続本数の合計を求め（Ｓ１１２）、使用可能な結束端子を決定する（Ｓ１１３）。これは、端子属性付加で入力された結束端子グループのグループ名と実装部品ライブラリ部１４に格納されている結束端子のクラス（端子の種類）に基づいて決定する。なお、ネットにつながる全ての線材の本数を数えて線付表に表示される。
【００２１】
次いで、以上のＳ１１１〜Ｓ１１３の結果に基づいて線付表の作成処理を行い（Ｓ１１４）、得られた結果を配線データとして配線データ記憶部９に格納する（Ｓ１１５）。出力処理部１０では図５で説明したような書式の接続表１１を出力し（Ｓ１１６）、且つ、配線データを用いて所定の書式に加工する処理を行い線付表を出力する（Ｓ１１７）。
【００２２】
図９（ａ）は作成された線付表の一例を示している。また、図９（ｂ）は線付表の線付フォーマットの一部を拡大して示している。まず、図９（ｂ）の１列目の００Ａ０１は実装情報付加で入力した段、列、相対列を示すもので、図６の接続表の場合と同様である。２列目先頭の１は装置回路素子のピン番号、その次のＰ１は配線ルール属性と通し番号、その次のＧＲは線色、その次の１は端子ピンにつながる線材の本数、その次の１．２５−Ａ−３は線材情報から選択された結束端子の品名である。
【００２３】
また、図９（ｂ）の３列目先頭の２は同様に装置回路素子のピン番号、その次のＰ２は配線ルール属性と通し番号、その次のＧＲは線色、その次の１は端子ピンにつながる本数、その次の１．２５−Ａ−３は結束端子の品名である。更に、図９（ａ）に示すように線付表には、装置回路素子の部品実装イメージを表示している。この線付表では、位置情報００Ａ０１の装置回路素子のピン番号１に関して緑色のペアー線を品名１．２５−Ａ−３の結束端子を用いて接続することを示している。また、同様に位置情報００Ａ０１の回路素子のピン番号２に関して緑色のペアー線を品名１．２５−Ａ−３の結束端子を用いて接続することを示している。
【００２４】
【発明の効果】
以上説明したように本発明によれば、電気機器を製造するのに必要な接続表や線付表を自動的に且つ短時間で作成することができる。また、回路素子の端子の接続本数を求め、それに基づいて回路素子の接続に用いる結束端子を決定しているので、接続表と線付表の相互間でデータの不一致やケアレスミスが無くなり、接続表と線付表を正確に作成することができる。
【図面の簡単な説明】
【図１】本発明の配線図作成システムの一実施形態の構成を示すブロック図である。
【図２】図１の実施形態の動作を示すフローチャートである。
【図３】図面枠の付加された回路図上に装置回路素子を配置した例を示す図である。
【図４】実装属性を付加する場合に用いる装置名と回路番号を入力するためのウィンドウを示す図である。
【図５】実装属性を付加する場合に用いる段、列、相対列を入力するためのウィンドウを示す図である。
【図６】接続表の例を示す図である。
【図７】配線ルール属性の例を説明するための図である。
【図８】端子属性を付加する場合に用いる配線種類、線材略称、結束端子グループを入力するためのウィンドウを示す図である。
【図９】線付表の例を示す図である。
【図１０】図１の実施形態で用いる段、列、相対列を説明するための図である。
【符号の説明】
１    回路設計部
２    実装情報付加部
３    配線用情報付加部
４    回路ネットデータ生成部
５    回路データ記憶部
６    接続表作成部
７    配線ルール取り込み部
８    配線ネットデータ生成部
９    配線データ記憶部
１０    出力処理部
１１    接続表
１２    線付表
１３    シンボルライブラリ部
１４    実装部品ライブラリ部
【図１】
0003601590.tif 000002
【図２】
0003601590.tif 000003
【図３】
0003601590.tif 000004
【図４】
0003601590.tif 000005
【図５】
0003601590.tif 000006
【図６】
0003601590.tif 000007
【図７】
0003601590.tif 000008
【図８】
0003601590.tif 000009
【図９】
0003601590.tif 000010
【図１０】
0003601590.tif 000011